(57)【要約】【課題】  リモート局に張り出し設置される小容量アクセス回線終端装置を効率よく中心局に収容し、全体としての信頼性を高めることが可能なアクセス回線終端システムを提供する。【解決手段】  中心局の親装置１からは小容量のリモート局のリモート装置２−１〜２−６まで管路１３１〜１３６が放射状に延びている網構成をとっている。管路１３１〜１３６内には信号線が往復するように布設され、親装置１及びリモート装置２−１〜２−６間の信号線がリング状に結線されている。リモート局のリモート装置２−１〜２−６をリング状に接続して信号を周回させることによって、信号の集線効率を高めるとともに、故障発生時の迅速なアラーム通知や効果的な信号救済を実現することができる。アラーム通知や信号救済の制御は主信号オーバヘッドを使用して行われる。【選択図】      図２
2006087086.tif 000002
【特許請求の範囲】
【請求項１】
アクセス回線を収容する通信システムであって、
複数のアクセス回線を収容する親装置と、
前記親装置から放射状に配置され、複数のアクセス回線を収容する複数のリモート装置と、
前記親装置から前記複数のリモート装置のそれぞれに放射状に配置される管路とを有し、
前記親装置と前記複数のリモート装置とを前記管路を通じてリング状に接続することを特徴とする通信システム。
【請求項２】
前記親装置と前記複数のリモート装置とをリング状に接続する信号線を放射状に配置された前記管路内に布設することを特徴とする請求項１記載の通信システム。
【請求項３】
前記親装置から前記複数のリモート装置への下り信号を前記リング状に接続された各装置を周回させて前記複数のリモート装置のそれぞれで分岐して配信し、
前記複数のリモート装置から前記親装置への上り信号を前記リング状に接続された各装置を周回させて前記複数のリモート装置のそれぞれで多重して収集することを特徴とする請求項１記載の通信システム。
【請求項４】
前記複数のリモート装置各々は、前記下り信号及び前記上り信号の周回方向を切替える回路を含むことを特徴とする請求項３記載の通信システム。
【請求項５】
前記複数のリモート装置各々は、信号の状態を監視し、その監視結果に基づいて自立的に前記下り信号及び前記上り信号の周回方向を切替える回路を含むことを特徴とする請求項３記載の通信システム。
【請求項６】
前記下り信号は、そのオーバヘッドに上り／下りの識別情報が付加され、
前記複数のリモート装置各々は、前記識別情報に基づいて前記下り信号及び前記上り信号の周回方向を切替える回路を含むことを特徴とする請求項３記載の通信システム。
【請求項７】
前記上り信号の多重が、少なくともセル多重、パケット多重、回線多重のいずれかであることを特徴とする請求項３から請求項６のいずれか記載の通信システム。
【請求項８】
前記リモート装置は、隣接する装置からの上り信号と自装置内からの上り信号とを多重しかつ隣接する装置への下り信号と自装置内への下り信号とに分岐する回路を含むことを特徴とする請求項１から請求項７のいずれか記載の通信システム。
【請求項９】
アクセス回線を収容するアクセス回線収容装置であって、
複数のアクセス回線を収容する手段を有し、
親装置から放射状に配置されかつ前記親装置から放射状に配置される管路を通じてリング状に接続されたことを特徴とするアクセス回線収容装置。
【請求項１０】
前記親装置からの下り信号は、リング状に接続された装置を周回して分岐されて配信され、
前記親装置への上り信号は、リング状に接続された前記装置を周回して多重されて収集されることを特徴とする請求項９記載のアクセス回線収容装置。
【請求項１１】
前記下り信号及び前記上り信号の周回方向を切替える回路を含むことを特徴とする請求項１０記載のアクセス回線収容装置。
【請求項１２】
信号の状態を監視し、その監視結果に基づいて自立的に前記下り信号及び前記上り信号の周回方向を切替える回路を含むことを特徴とする請求項１０記載のアクセス回線収容装置。
【請求項１３】
前記下り信号のオーバヘッドに上り／下りの識別情報が付加され、
前記識別情報に基づいて前記下り信号及び前記上り信号の周回方向を切替える回路を含むことを特徴とする請求項１０記載のアクセス回線収容装置。
【請求項１４】
前記上り信号の多重が、少なくともセル多重、パケット多重、回線多重のいずれかであることを特徴とする請求項１０から請求項１３のいずれか記載のアクセス回線収容装置。
【請求項１５】
隣接する装置からの上り信号と自装置内からの上り信号とを多重しかつ隣接する装置への下り信号と自装置内への下り信号とに分岐する回路を含むことを特徴とする請求項１０から請求項１４のいずれか記載のアクセス回線収容装置。
【請求項１６】
アクセス回線を収容する回線収容方法であって、
複数のアクセス回線を収容する親装置と、複数のアクセス回線を収容する複数のリモート装置とを、前記親装置から前記複数のリモート装置のそれぞれに放射状に配置される管路を通じてリング状に接続することを特徴とする回線収容方法。
【請求項１７】
前記親装置から前記複数のリモート装置への下り信号が、リング状に接続された各装置を周回して前記複数のリモート装置のそれぞれで分岐されて配信され、
前記複数のリモート装置から前記親装置への上り信号が、リング状に接続された各装置を周回して前記複数のリモート装置のそれぞれで多重されて収集されることを特徴とする請求項１６記載の回線収容方法。
【請求項１８】
前記複数のリモート装置各々が、前記下り信号及び前記上り信号の周回方向を切替えることを特徴とする請求項１７記載の回線収容方法。
【請求項１９】
前記複数のリモート装置各々が、信号の状態を監視し、その監視結果に基づいて自立的に前記下り信号及び前記上り信号の周回方向を切替えることを特徴とする請求項１７記載の回線収容方法。
【請求項２０】
前記下り信号のオーバヘッドに上り／下りの識別情報を付加し、
前記複数のリモート装置各々が、前記識別情報に基づいて前記下り信号及び前記上り信号の周回方向を切替えることを特徴とする請求項１７記載の回線収容方法。
【請求項２１】
前記上り信号の多重が、少なくともセル多重、パケット多重、回線多重のいずれかであることを特徴とする請求項１７から請求項２０のいずれか記載の回線収容方法。
【請求項２２】
信号が、リング状に接続された前記親装置及び前記複数のリモート装置を周回して、各装置の監視制御を行うことを特徴とする請求項１６から請求項２１のいずれか記載の回線収容方法。
【請求項２３】
前記監視制御が、少なくとも故障発生時の通知及び信号救済を含むことを特徴とする請求項２２記載の回線収容方法。
【請求項２４】
アクセス回線を収容する回線収容方法であって、
複数のアクセス回線を収容する複数の装置を放射状に配置し、
前記複数の装置各々を放射状に配置される管路を通じてリング状に接続することを特徴とする回線収容方法。
【請求項２５】
下り信号が、リング状に接続された前記複数の装置を周回して、分岐されて配信され、
上り信号が、リング状に接続された前記複数の装置を周回して、多重されて収集されることを特徴とする請求項２４記載の回線収容方法。
【請求項２６】
前記下り信号及び前記上り信号の周回方向を切替えることを特徴とする請求項２５記載の回線収容方法。
【請求項２７】
信号の状態を監視し、その監視結果に基づいて自立的に前記下り信号及び前記上り信号の周回方向を切替えることを特徴とする請求項２５記載の回線収容方法。
【請求項２８】
前記下り信号のオーバヘッドに上り／下りの識別情報を付加し、
前記識別情報に基づいて前記下り信号及び前記上り信号の周回方向を切替えることを特徴とする請求項２５記載の回線収容方法。
【請求項２９】
前記上り信号の多重が、少なくともセル多重、パケット多重、回線多重のいずれかであることを特徴とする請求項２５から請求項２８のいずれか記載の回線収容方法。
【請求項３０】
隣接する装置からの上り信号と自装置内からの上り信号とを多重しかつ隣接する装置への下り信号と自装置内への下り信号とに分岐することを特徴とする請求項２５から請求項２９のいずれか記載の回線収容方法。
【発明の詳細な説明】
【技術分野】
【０００１】
本発明はアクセス回線を用いる技術に関し、特にアクセス回線を収容する通信システム、その装置及びその方法に関する。
【背景技術】
【０００２】
ＡＤＳＬ（Ａｓｙｍｍｅｔｒｉｃ  Ｄｉｇｉｔａｌ  Ｓｕｂｓｃｒｉｂｅｒ  Ｌｉｎｅ）等の普及により国内及び海外においてアクセス回線のブロードバンド化が急速に進展している。
【０００３】
図９はアクセス回線用装置（ＡＭ：Ａｃｃｅｓｓ  Ｍｕｌｔｉｐｌｅｘｅｒ）を用いたインタネット接続サービスのネットワーク構成例を示したものである。エンドユーザ宅においてはＰＣ（パーソナルコンピュータ）２１１は、宅内装置（ＣＰＥ：Ｃｕｓｔｏｍｅｒ  Ｐｒｅｍｉｓｅｓ  Ｅｑｕｉｐｍｅｎｔ）２１０を通じてアクセス回線２０９に接続される（例えば、特許文献１参照）。
【０００４】
電話局には、これら複数のアクセス回線２０９を終端し、１本の高速信号に集線するアクセス回線用装置２０６が設置されている。アクセス回線用装置２０６内には集線分離部（ＩＧＵ：Ｉｎｔｅｇｒａｔｅｄ  Ｇａｔｅｗａｙ  Ｕｎｉｔ）２０７と回線終端部（ＬＴＵ：Ｌｉｎｅ  Ｔｅｒｍｉｎａｔｉｏｎ  Ｕｎｉｔ）２０８とが搭載されている。集線分離部２０７は信号を多重化するとともに、必要に応じて信号のプロトコル変換を行う。
【０００５】
アクセス回線用装置２０６の先にはスイッチ／ルータ２０４が設置され、信号はこのスイッチ／ルータ２０４を経由してインタネット２０３へ出力される。インタネット２０３の先では再びスイッチ／ルータ２０２を経由してＩＳＰ（Ｉｎｔｅｒｎｅｔ  Ｓｅｒｖｉｃｅ  Ｐｒｏｖｉｄｅｒ）サーバ２０１等に接続される。
【０００６】
【特許文献１】特開２００４−８８３７９号公報
【発明の開示】
【発明が解決しようとする課題】
【０００７】
従来、アクセス回線用装置の多くは、キャリアの電話局［ＧＣ（Ｇｒｏｕｐ  ｕｎｉｔ  Ｃｅｎｔｅｒ）局等］に設置されていた。しかしながら、最近では、遠隔のユーザにも接続するために、アクセス回線用装置は電話局から遠く離れた場所に設置されることが求められている。その場合、複数のアクセス回線用装置が、電話局（以下、中心局とする）から光ファイバで遠隔地に張り出して設置される。それらの遠隔地では、経済性及び省スペース性を考慮し、小型のアクセス回線用装置が通常設置される。このようにして、遠隔のユーザが中心局に収容（通信回線を用いて装置に接続）される。
【０００８】
従来、このようなリモート局に設置されるアクセス回線用装置は、中心局とポイントツーポイントで接続されている。そして、リモート局からの回線を集線する機能は、中心局の装置に設けられている。そのため、中心局の装置には、リモート局に設置されるアクセス回線用装置を張り出すためのインタフェース部を多数搭載する必要があり、かつ一箇所で集線しなければならない。したがって、中心局の装置には、高性能及び高密度実装の装置が必要となり、これがシステムコストを増大させている。このように、リモート局に設置されるアクセス回線用装置を中心局に効率良く収容することは困難である。
【０００９】
また、リモート局に設置されるアクセス回線用装置のそれぞれに対しては、故障発生時の通知や信号救済を行い、効率良く監視制御することも課題となっている。よって、従来の技術では、アクセス回線用装置を中心局に効率良く収容し、かつ監視制御を効率良く行うことが緊急の課題となっている。
【００１０】
これを解決するために、リモート局に設置されるアクセス回線用装置をタンデム接続して集線していく方法がある。しかしながら、この方法では、途中の伝送路あるいは装置に故障が発生すると、その先の装置が全断（信号が不通）になるという問題がある。
【００１１】
そこで、本発明の目的は上記の問題点を解消し、アクセス回線を効率よく収容することができ、監視制御を効率良く行うことができる通信システム、アクセス回線収容装置及びそれに用いる回線収容方法を提供することにある。
【課題を解決するための手段】
【００１２】
本発明による通信システムは、アクセス回線を収容する通信システムであって、複数のアクセス回線を収容する親装置と、前記親装置から放射状に配置され、複数のアクセス回線を収容する複数のリモート装置と、前記親装置から前記複数のリモート装置のそれぞれに放射状に配置される管路とを備え、前記親装置と前記複数のリモート装置とを前記管路を通じてリング状に接続している。
【００１３】
本発明によるアクセス回線収容装置は、アクセス回線を収容するアクセス回線収容装置であって、複数のアクセス回線を収容する手段を備え、親装置から放射状に配置されかつ前記親装置から放射状に配置される管路を通じてリング状に接続されている。
【００１４】
本発明による回線収容方法は、アクセス回線を収容する回線収容方法であって、複数のアクセス回線を収容する親装置と、複数のアクセス回線を収容する複数のリモート装置とを、前記親装置から前記複数のリモート装置のそれぞれに放射状に配置される管路を通じてリング状に接続している。
【００１５】
本発明による他の回線収容方法は、アクセス回線を収容する回線収容方法であって、複数のアクセス回線を収容する複数の装置を放射状に配置し、前記複数の装置各々を放射状に配置される管路を通じてリング状に接続している。
【００１６】
すなわち、本発明のアクセス回線を収容する通信システムは、複数のアクセス回線を収容する親装置と、親装置から放射状に配置され、複数のアクセス回線を収容する複数のリモート装置と、親装置から複数のリモート装置のそれぞれに放射状に配置される管路とを含んでいる。そして、親装置と複数のリモート装置とが管路を通じてリング状に接続されている。
【００１７】
このように、本発明のアクセス回線を収容する通信システムは、各装置がリング状に接続されていることで、各リモート装置を集線する機能を親装置に配置する必要がない。また、本発明のアクセス回線を収容する通信システムは、各装置がリング状に接続されていることで、各リモート装置が親装置に効率良く収容される。さらに、本発明のアクセス回線を収容する通信システムは、ある箇所で故障が発生した場合、故障発生の通知や信号救済が双方から行える。さらにまた、本発明のアクセス回線を収容する通信システムは、親装置及び各リモート装置が共にアクセス回線を収容することで、アクセス回線からの信号がそれぞれの装置で分散して収集される。さらにまたまた、本発明のアクセス回線を収容する通信システムは、各装置がリング状に接続されていることで、各装置で収集されたアクセス回線の信号が効率良く収集される。
【００１８】
本発明のアクセス回線を収容する装置は、複数のアクセス回線を収容する手段を含んでいる。そして、このアクセス回線を収容する装置は、親装置から放射状に配置され、かつ親装置から放射状に配置される管路を通じてリング状に接続されている。
【００１９】
このように、本発明のアクセス回線を収容する装置は、各装置がリング状に接続されていることで、各装置を集線する機能を親装置に配置する必要がない。また、本発明のアクセス回線を収容する装置は、各装置がリング状に接続されていることで、各装置が親装置に効率良く収容される。さらに、本発明のアクセス回線を収容する装置は、ある箇所で故障が発生した場合、故障発生の通知や信号救済が双方から行える。さらにまた、本発明のアクセス回線を収容する装置は、各装置がアクセス回線を収容することで、アクセス回線からの信号がそれぞれの装置で分散して収集される。さらにまたまた、本発明のアクセス回線を収容する装置は、各装置がリング状に接続されていることで、各装置で収集されたアクセス回線の信号が効率良く収集される。
【００２０】
本発明のアクセス回線を収容する方法は、複数のアクセス回線を収容する親装置と、複数のアクセス回線を収容する複数のリモート装置とを、親装置から複数のリモート装置のそれぞれに放射状に配置される管路を通じてリング状に接続されている。
【００２１】
このように、本発明のアクセス回線を収容する方法は、各装置がリング状に接続されていることで、各リモート装置を集線する機能を親装置に配置する必要がない。また、本発明のアクセス回線を収容する方法は、各装置がリング状に接続されていることで、各リモート装置が親装置に効率良く収容される。さらに、本発明のアクセス回線を収容する方法は、ある箇所で故障が発生した場合、故障発生の通知や信号救済が双方から行える。さらにまた、本発明のアクセス回線を収容する方法は、親装置及び各リモート装置が共にアクセス回線を収容することで、アクセス回線からの信号がそれぞれの装置で分散して収集される。さらにまたまた、本発明のアクセス回線を収容する方法は、各装置がリング状に接続されていることで、各装置で収集されたアクセス回線の信号が効率良く収集される。
【００２２】
本発明の他のアクセス回線を収容する方法は、複数の装置が放射状に配置され、複数の装置のそれぞれが複数のアクセス回線を収容し、複数の装置のそれぞれが放射状に配置される管路を通じてリング状に接続されている。
【００２３】
このように、本発明のアクセス回線を収容する方法は、各装置がリング状に接続されていることで、各装置を集線する機能を一カ所に配置する必要がない。また、本発明のアクセス回線を収容する方法は、各装置がリング状に接続されていることで、各装置が効率良く収容される。さらに、本発明のアクセス回線を収容する方法は、ある箇所で故障が発生した場合、故障発生の通知や信号救済が双方から行える。さらにまた、本発明のアクセス回線を収容する方法は、各装置がアクセス回線を収容することで、アクセス回線からの信号がそれぞれの装置で分散して収集される。さらにまたまた、本発明のアクセス回線を収容する方法は、各装置がリング状に接続されていることで、各装置で収集されたアクセス回線の信号が効率良く収集される。
【発明の効果】
【００２４】
本発明は、上記のような構成及び動作により、アクセス回線を効率よく収容することができ、監視制御を効率良く行うことができるという効果が得られる。
【発明を実施するための最良の形態】
【００２５】
本発明のアクセス回線を収容する通信システムの典型的な形態は、複数のアクセス回線を収容する親装置と、親装置から放射状に配置され、複数のアクセス回線を収容する複数のリモート装置と、親装置から複数のリモート装置のそれぞれに放射状に配置される管路とを含み、親装置と複数のリモート装置とが管路を通じてリング状に接続されている。
【００２６】
本発明のアクセス回線を収容する装置の典型的な形態は、複数のアクセス回線を収容する手段を含み、親装置から放射状に配置され、かつ親装置から放射状に配置される管路を通じてリング状に接続されている。
【００２７】
本発明のアクセス回線を収容する方法の典型的な形態は、複数のアクセス回線を収容する親装置と、複数のアクセス回線を収容する複数のリモート装置とを、親装置から複数のリモート装置のそれぞれに放射状に配置される管路を通じてリング状に接続している。
【００２８】
また、本発明のアクセス回線を収容する方法の典型的な形態は、複数の装置が放射状に配置され、複数の装置のそれぞれが複数のアクセス回線を収容し、複数の装置のそれぞれが放射状に配置される管路を通じてリング状に接続されている。
【００２９】
以下に、本発明のより好ましい実施の形態について、図面を参照して、詳細に説明する。尚、以下に述べる実施の形態は、本発明を理解する上で具体例を示すものであって、本発明の範囲は、これらの実施形態に限られるものではない。最初に、本発明の一実施例によるアクセス回線を収容する通信システム、それに用いられる装置及びアクセス回線の収容方法について、以下に説明する。
【００３０】
図１は本発明の一実施例によるアクセス回線を収容する通信システムの部分的な構成を示すブロック図である。図１において、本発明の一実施例によるアクセス回線を収容する通信システムは、中心の電話局のアクセス回線用装置（ＡＭ：Ａｃｃｅｓｓ  Ｍｕｌｔｉｐｌｅｘｅｒ）である親装置１と、その下流に接続される小容量の遠隔地局のアクセス回線用装置であるリモート装置２−１〜２−６（リモート装置２−２〜２−５は図示せず）と、親装置１をインタネット１０に接続するスイッチ／ルータ３とから構成されている。
【００３１】
親装置１は、第１の信号多重分岐部（ＯＥＵ：Ｏｐｔｉｃａｌ  Ｅｘｐａｎｓｉｏｎ  Ｕｎｉｔ）１１と、集線分離部（ＩＧＵ：Ｉｎｔｅｇｒａｔｅｄ  Ｇａｔｅｗａｙ  Ｕｎｉｔ）１２と、回線盤（ＬＴＵ：Ｌｉｎｅ  Ｔｅｒｍｉｎａｔｉｏｎ  Ｕｎｉｔ）１３−１〜１３−ｎと、第２の信号多重分岐部（ＯＥＵ）１４とから構成されている。
【００３２】
リモート装置２−１は、第２の信号多重分岐部（ＯＥＵ）２１−１と、集線分離部（ＩＧＵ）２２−１と、回線盤（ＬＴＵ）２３−１，２４−１とから構成されている。同様に、リモート装置２−６は、第２の信号多重分岐部（ＯＥＵ）２１−６と、集線分離部（ＩＧＵ）２２−６と、回線盤（ＬＴＵ）２３−６，２４−６とから構成されている。尚、上記と同様の構成のリモート装置２−２〜２−５が、リモート装置２−１の左からリモート装置２−６の右までを繋ぐようにリング状に設置されている。
【００３３】
この図１を参照して下り信号の流れについて説明する。下り信号は、インタネット１０からスイッチ／ルータ３を介して親装置１に入力される。親装置１に入力された下り信号１０３は、第一の信号多重分岐部１１において親装置１内で処理される信号とリモート装置２−１〜２−６に向かう信号とに分岐される。ここでは単純な２分岐（原信号のコピー）が行われる。
【００３４】
親装置１向けの信号は、親装置１の集線分離部１２を通って親装置１内の回線盤１３−１〜１３−ｎを経由してアクセス回線１０５へと出ていく。一方、リモート装置２−１〜２−６向けの信号は第二の信号多重分岐部１４でさらに２分岐され、右回り信号１０７と左回り信号１０６とになる。
【００３５】
左回り信号１０６は、最初のリモート装置２−１に入力され、第二の信号多重分岐部２１−１において、リモート装置２−１内で処理される信号と下流のリモート装置２−２〜２−５に送信される信号１１２とに分岐される。リモート装置２−１向けの信号は、上記の親装置１と同様に、リモート装置２−１の集線分離部２２−１を通って回線盤２３−１，２４−１を経由してアクセス回線１１４へと出力される。隣接するリモート装置２−２では、上記のリモート装置２−１と同様に、下り信号が処理される。具体的には、リモート装置２−１からの下り信号は、リモート装置２−２内で処理される信号と、さらに下流のリモート装置２−３〜２−５に送信される信号とに分岐される。このように、リング状に接続されたリモート装置２−１からリモート装置２−６までを下り信号は、次々に分岐されて配信されていく。
【００３６】
右回り信号１０７も、上記の左回り信号１０６と同様に、最初のリモート装置２−６に入力される。その右回り信号１０７は、上記のリモート装置２−１における左回り信号１０６の処理と同様に、リモート装置２−６で処理される。但し、下り信号において、左回り信号または右回り信号のどちらかが使用されるように、各装置の状態が設定されている。
【００３７】
次に、通常時では、下り信号としては左回り信号が使用され、上り信号としては右回り信号が使用される例について説明する。尚、これらの信号は逆回りに設定することも可能である。図１を参照して上り信号の流れについて説明する。リモート装置２−６に収容されるアクセス回線１２６の上り信号は、回線盤２３−６，２４−６を経て集線分離部２２−６に入力されて多重される。多重された信号は、さらに第２の信号多重分岐部２１−６に入力され、隣接するリモート装置２−５へと向かう信号１２５として送出される。
【００３８】
ここで、第２の信号多重分岐部２１−６は、親装置１から送られてくる下り信号１０７を上り信号と多重する機能を具備している。しかしながら、下り信号１０７は、第２の信号多重分岐部２１−６の入力部で破棄され、上り信号のみが隣接するリモート装置２−５に出力される。隣接するリモート装置２−５では、リモート装置２−５の上り信号と前段のリモート装置２−６からの上り信号とが多重されて次段のリモート装置２−４に送出される。
【００３９】
このように、リング状に接続されたリモート装置２−６からリモート装置２−１までの上り信号が、次々に収集されて多重されていく。そして、最後のリモート装置２−１から親装置１に、最終的に多重化された上り信号が入力される。親装置１は、リング状の回線を周回して集められた上り信号と、親装置１自身が収容するアクセス回線１０５の上り信号とを第一の信号多重分岐部１１にて多重する。そして、親装置１は、その多重した信号を次段のスイッチ／ルータ３に出力する。
【００４０】
以上述べたように、下り信号は、リング状の回線（リング状に接続されたリモート装置２−１〜２−６及び親装置１を接続する回線）を左回りに周回して、各リモート装置２−１〜２−６へブロードキャストで配信される。逆に、上り信号は、リング状の回線を右回りに周回して、各リモート装置で多重されて収集される。
【００４１】
信号のフォーマット及び処理方法は、アクセス装置の方式に合わせて選定される。例えば、ＡＤＳＬ（Ａｓｙｍｍｅｔｒｉｃ  Ｄｉｇｉｔａｌ  Ｓｕｂｓｃｒｉｂｅｒ  Ｌｉｎｅ）の場合には、光ＡＴＭ（Ａｓｙｎｃｈｒｏｎｏｕｓ  Ｔｒａｎｓｆｅｒ  Ｍｏｄｅ）信号が用いられる。そして、下り信号は光分岐あるいはセルコピーされ、上り信号はセル多重される。
【００４２】
図２は本発明の一実施例によるアクセス回線を収容する通信システムの全体の構成例を示すブロック図である。図２において、本発明の一実施例によるアクセス回線を収容する通信システムは、中心に電話局［以下、中心局とする］の親装置１があり、そこから小容量の遠隔地局（以下、リモート局とする）Ｉ〜VIのリモート装置２−１〜２−６まで管路１３１〜１３６が放射状に延びている。
【００４３】
従来は、中心局と各リモート局との間でポイントツーポイントで通信が行われている。そのため、中心局から各リモート局までは、管路が放射状に延びて設置されている。これに対して、本実施例では、この管路の構成を有効に利用している。具体的には、親装置１及びリモート装置２−１〜２−６間の信号線は、管路１３１〜１３６内を往復して布設されている。
【００４４】
このようにして、本実施例では、親装置１及びリモート装置２−１〜２−６間を信号線でリング状に結線している。よって、本実施例では、新たに管路を設けることなく、親装置１及びリモート装置２−１〜２−６がリング状に結線されることを可能としている。そして、本実施例では、各リモート装置２−１〜２−６にアクセス信号を集線する機能を持たせている。具体的には、各リモート装置２−１〜２−６には、図１に示すように、アクセス回線（１１４，１２６等）が収容されており、これらを集線する集線分離部２２−１〜２２−６（集線分離部２２−２〜２２−５は図示せず）が備えられている。
【００４５】
従来、ポイントツーポイントの構成では、各リモート局の集線機能が中心局側の装置に設置されている。一方、本実施例では、各リモート局の集線機能が、リモート局側の装置に分散して設置されている。
【００４６】
本実施例では、上記のような網構成とすることで、リモート局に張り出して設置される小容量のリモート装置２−１〜２−６を、効率よく中心局の親装置１に収容し、かつ全体として信頼性の高い回線収容方法を実現することができる。
【００４７】
また、本実施例では、リモート装置２−１〜２−６をリング状に接続して、信号を周回させており、各リモート装置２−１〜２−６に信号の集線機能を持たせるようにしている。これによって、中心局の親装置１に無理なく、信号を集線することが可能となる。それとともに、故障発生時の迅速なアラーム通知や効果的な信号救済も実現することができる。アラーム通知や信号救済の制御は、例えば、主信号のオーバヘッドを使用して行われる。これによって、本実施例では、監視制御系が簡素化され、システムコストが削減される。それとともに、本実施例では、高速制御性及び高信頼性を有するシステムを実現することができる。
【００４８】
図３は本発明の一実施例における通常時の上り信号と下り信号の流れを示す図である。図３において、実線は下り信号の流れを示し、点線は上り信号の流れを示している。
【００４９】
図４は図３の管路１３４内の信号線あるいはリモート装置２−４のインタフェース部等に故障が発生した場合の信号の流れを示す図である。尚、図３及び図４において、実線は下り信号の流れを示し、点線は上り信号の流れを示している。この場合、図３に示す通常の信号の流し方では、下り信号がリモート装置２−５，２−６に到達しない。また、リモート装置２−５，２−６の上り信号は親装置１に到達しない。そこで、故障の発生したリモート装置２−４をリング状から切り離し、リモート装置２−５，２−６に対しては、信号を通常と逆に周回させて信号の到達を確保する。
【００５０】
図５は図１の親装置１に搭載される第１の信号多重分岐部１１の構成例を示すブロック図である。図５において、第１の信号多重分岐部１１の入出力インタフェースは、光信号、具体的にはＡＴＭ  ｏｖｅｒ  ＳＤＨ（Ｓｙｎｃｈｒｏｎｏｕｓ  Ｄｉｇｉｔａｌ  Ｈｉｅｒａｒｃｈｙ）を仮定している。つまり、入出力部には、光電気変換部４１，４８，５３と、電気光変換部４４，５０，５１と、ＳＤＨ終端部［ＳＤＨ  ｔｅｒｍｉｎａｔｉｎｇ  ｕｎｉｔ］４２，４５，４７，４９，５２，５４とが配置されている。
【００５１】
これら図１及び図５を用いて、上り信号及び下り信号の流れについて説明する。まず、図１において、親装置１自身が収容するアクセス回線１０５からの上り信号は、回線盤１３−１〜１３−ｎを経て、集線分離部１２に集められる。一方、リモート装置２−１〜２−６が収容するアクセス回線１１４，１２６等からの上り信号は、リモート装置に対して右回りに周回して集められる。そして、最後のリモート装置２−１の第２の信号多重分岐部２１−１から親装置１の第２の信号多重分岐部１４に上り信号１１１として送出される。
【００５２】
図５において、集線分離部１２からの上り信号４０６と、第２の信号多重分岐部１４からの上り信号４０２とは、ＡＴＭセル多重部４３で多重される。そして、多重された上り信号は、ＳＤＨ終端部４９で終端処理され、電気光変換部５０を経て、信号４０４として隣接するスイッチ／ルータ３へ送出される。
【００５３】
一方、隣接するスイッチ／ルータ３からの下り信号４０３は、信号分岐部４６で２分岐される。分岐された信号の一方は、親装置１内の下り信号４０７として集線分離部１２へ送出される。そして、集線分離部１２から回線盤１３−１〜１３−ｎを経て、アクセス回線１０５へ下り信号として送出される。分岐された信号の他方は、下り信号４０１として第２の信号多重分岐部１４へ送出される。そして、第２の信号多重分岐部１４から下り信号１０６及び下り信号１０７としてリモート装置２−１及びリモート装置２−６のそれぞれに対して送出される。
【００５４】
図５の４０５は、局内クロック発生装置（図示せず）から供給される網同期クロックであり、ＳＤＨのクロック乗せ替えに使用される。クロック選択／パルス発生部５５においては局内クロック、伝送路抽出クロック、装置内発生クロック（内部発振器５６からのクロック）のいずれかを選択し、装置内各部に必要なパルスを生成して分配する。通常は局内クロックを使用する。
【００５５】
図６は図１の親装置１及びリモート装置２−１〜２−６に搭載される第２の信号多重分岐部１４，２１−１〜２１−６の構成例を示すブロック図である。但し、図６では親装置１の第２の信号多重分岐部１４、リモート装置２−１〜２−６の第２の信号多重分岐部２１−１〜２１−６を、第２の信号多重分岐部６としている。また、信号６０６，６０７には、親装置１の第２の信号多重分岐部１４の場合、第１の信号多重分岐部１１が、リモート装置２−１〜２−６の第２の信号多重分岐部２１−１〜２１−６の場合、集線分離部２２−１〜２２−６が接続される。
【００５６】
図６において、第２の信号多重分岐部６は、上記の第１の信号多重分岐部１１の構成を基本構成とし、これに信号周回方向を逆転させるための選択部７７〜８１と、信号分岐部６６，８２〜８４と、クロック選択／パルス発生制御部７５とを追加して構成している。本実施例では選択部７７〜８１及び信号分岐部６６，８２〜８４を図６に示すように配置することによって、上り信号、下り信号の周回方向を切替えることができるようにしている。
【００５７】
図６の８５〜８８はＡＴＭセル抜き取り部である。ＡＴＭセル抜き取り部８５〜８８は、無駄な信号の多重を回避するために、必要に応じて主信号セルを抜き取る回路である。クロック選択／パルス発生制御部７５は、上記のクロック選択／パルス発生部５５のクロック選択機能及びパルス生成機能に加え、ＳＤＨ終端部６７，７４から受信するオーバヘッド情報（Ｆ１，Ｋ１／Ｋ２）に基づいて選択部７７〜８１やＡＴＭセル抜き取り部８５〜８８の制御を行うための制御機能を搭載している。
【００５８】
図７は本発明の一実施例における通常時の第２の信号多重分岐部６の動作を示す図であり、図８は本発明の一実施例における故障発生時の第２の信号多重分岐部６の動作を示す図である。これら図７及び図８を参照して、第２の信号多重分岐部６の動作について説明する。
【００５９】
選択部７７〜８１を図７に示すように動作させると、下り信号は６０３から６０１へ左回りに周回し、上り信号は６０２から６０４へ右回りに周回する。これに対し、選択部７７〜８１を図８に示すように動作させると、下り信号は６０２から６０４へ右回りに周回し、上り信号は６０３から６０１へ左回りに周回することになる。
【００６０】
さらに具体的には、図７では、下り信号６０３は、信号分岐部８２で分岐されて、一方は下り信号６０７へ、他方は下り信号６０１として出力される。このように、下り信号は左回りに周回する。上り信号６０２は、ＡＴＭセル多重部６３にて上り信号６０６と多重され、上り信号６０４として出力される。このように、上り信号は右回りに周回する。
【００６１】
一方、図８では、下り信号６０２は、信号分岐部８４から信号分岐部８２に送信されて、ここで分岐される。一方は下り信号６０７へ、他方は選択部７８，８１を介して、下り信号６０４として出力される。このように、下り信号は右回りに周回する。上り信号６０３は、信号分岐部６６，選択部８０を介して、ＡＴＭセル多重部６３に入力され、ＡＴＭセル多重部６３にて上り信号６０６と多重され、信号分岐部８３，選択部７９を介して、上り信号６０１として出力される。このように、上り信号は、左回りに周回される。このように、本実施例では、信号の周回方向を容易に変更することができる。しかしながら、６０６及び６０７の入出力信号の方向は、図７及び図８共に不変である。
【００６２】
尚、親装置１の第２の信号多重分岐部１４の場合には、上記の接続とは若干異なる。６０３，６０４に第１の信号多重分岐部１１が接続され、６０６，６０７にリモート装置２−１の第２の信号多重分岐部２１−１が接続され、６０１，６０２にリモート装置２−６の第２の信号多重分岐部２１−６が接続される。第１のＯＥＵからの下り信号６０３は、信号分岐部８２で分岐され、リモート装置２−１，２−６のそれぞれに下り信号６０７，６０１として出力される。リモート装置２−１，２−６からの上り信号６０６，６０２は、ＡＴＭセル多重部にて多重され、第１の信号多重分岐部１１に上り信号６０４として出力される。また、親装置１の第２の信号多重分岐部１４の場合には、下り信号と上り信号との向きを変える必要は特にない。そのため、信号分岐部６６，８３，８４、選択部７７〜８１は省略することも可能である。
【００６３】
次に、本発明の一実施例によるアクセス回線を収容する通信システム、それに用いられる装置及び回線収容方法において、主信号のオーバヘッドを用いた警報通知及び信号切替動作について説明する。
【００６４】
ＳＤＨのオーバヘッドは、様々な用途に使用できるように定義されている。その中で、Ｆ１バイトはユーザチャネルとして自由に使用してよいこととなっている。ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｏｒ）勧告Ｇ．７８３のＡｐｐｅｎｄｉｘ  Ｉには、タンデム接続されたＳＤＨ装置の故障評定を行う方法が記載されている。具体的には、故障装置の番号（ＩＤ）と故障状態とを表示するように、ビット割り当てが決められている。そして、これらの情報を故障検出装置でＦ１バイトに挿入することで、故障箇所及び故障状態が末端装置まで通知される。
【００６５】
これを本装置に適用すると、故障リモート装置の番号（ＩＤ）と故障状態を親装置に通知することが可能となる。ＩＴＵ勧告と同様に、前半の６ビットを装置番号に割り当てると、６３台の装置の識別が可能となる。また、後半の２ビットを故障状態に割り当てると、３つの異なる状態を通知することができる。
【００６６】
図４に示すように、管路１３４内の信号線またはリモート装置２−４に故障が発生し、リモート装置２−５で信号を受信することができない場合を想定する。リモート装置２−５は、自装置のクロックに信号を同期させ直し、自装置のＩＤと信号受信状態とを上り信号１２７のＦ１バイトに挿入して、中心局の親装置１に通知する。親装置１ではＦ１バイトを常時監視し、故障検出装置及び故障状態を検出する。ＳＤＨの伝送路切替に使用されるオーバヘッドとして、Ｋ１／Ｋ２バイトがある。これに親装置１が信号の周回方向を指示する情報（右回りか左回りか）及びそれを適用すべき装置情報（ＩＤ）を挿入することによって、各リモート装置２−１〜２−６に対して正常時及び故障発生時の信号周回方向が示される。
【００６７】
ここで、親装置１の第２の信号多重分岐部６のクロック選択／パルス発生制御部７５が、Ｆ１バイトによる故障評定と、Ｋ１／Ｋ２バイトによる各リモート装置２−１〜２−６の第２の信号多重分岐部２１−１〜２１−６との制御元（親）になる。Ｆ１バイトの故障情報は装置オペレーションシステムへ出力され、装置警報として表示される。また、親装置１は、Ｆ１バイトに基づいてどのリモート装置がどちらの周回方向を選択すべきかを計算する。
【００６８】
これによって、親装置１は、Ｋ１／Ｋ２バイトによって各装置に信号の周回方向を指示する。さらに、各リモート装置２−１〜２−６は、Ｆ１バイトへの故障情報の挿入と、Ｋ１／Ｋ２バイトに基づいた周回方向の設定とを実行する。これらはＣＰＵ（Ｃｅｎｔｒａｌ  Ｐｒｏｃｅｓｓｉｎｇ  Ｕｎｉｔ  ）におけるプログラムの実行で実現することも可能であるが、すべてハードウェア回路で実現することによって、高速な故障評定と切替動作とを実現することができる。
【００６９】
このように、本実施例では、リモート装置２−１〜２−６をリング状に接続することによって、信号の多重分離機能をシステム内に分散配置されている。よって、本実施例では、親装置１の信号処理及び機能搭載の負担を軽減し、システム全体のコストを下げることができる。
【００７０】
また、本実施例では、リング状に接続されたリモート装置２−１〜２−６を周回する信号の方向が、必要に応じて切り替えられている。よって、本実施例では、主信号の救済を実現し、故障発生箇所以外の主信号の導通を確保することができる。
【００７１】
さらに、本実施例では、リング状に接続されたリモート装置２−１〜２−６を周回する主信号のオーバヘッドを用いて警報通知や切替制御が行われている。これによって、本実施例では、迅速な警報制御動作を実現することができる。
【００７２】
尚、本実施例では、アクセス回線をＡＤＳＬ回線、集線信号を光ＡＴＭ信号と仮定している。しかしながら、本発明は、信号伝送方式を規定するものではない。アクセス回線としては他のＤＳＬ（Ｄｉｇｉｔａｌ  Ｓｕｂｓｃｒｉｂｅｒ  Ｌｉｎｅ）方式［例えば、ＶＤＳＬ（Ｖｅｒｙ  ｈｉｇｈ  ｄａｔａ  ｒａｔｅ  Ｄｉｇｉｔａｌ  Ｓｕｂｓｃｒｉｂｅｒ  Ｌｉｎｅ）］や電気または光のイーサネット（登録商標）を使用することも可能である。
【００７３】
また、本発明は集線信号も光イーサネット（登録商標）、あるいはＳＯＮＥＴ（Ｓｙｎｃｈｒｏｎｏｕｓ  Ｏｐｔｉｃａｌ  Ｎｅｔｗｏｒｋ）／ＳＤＨ回線多重のような他の方式を採用することも可能である。正常時、故障発生時の信号周回方向も、本実施例とは逆回りにすることが可能である。
【００７４】
本実施例では、集線分離部１２と、第１の信号多重分岐部１１と、第２の信号多重分岐部１４とを別ユニットとする例を示している。また、集線分離部２２−１と第２の信号多重分岐部２１−１とを、集線分離部２２−６と第２の信号多重分岐部２１−６とを、それぞれ別ユニットとする例を示している。しかしながら、これらを一つのユニットで構成することも可能である。例えば、第１の信号多重分岐部１１と第２の信号多重分岐部１４とを一つのユニットで実現することも可能である。さらに、これらに加えて、集線分離部１２も一つのユニットで実現することも可能である。他に、第２の信号多重分岐部２１−１〜２１−６のそれぞれと、集線分離部２２−１〜２２−６のそれぞれを一つのユニットで実現することも可能である。
【００７５】
本実施例では、上り信号と下り信号とを別の光ファイバで伝送しているが、それら上り及び下りの集線信号を波長多重して、１本の光ファイバで伝送する構成も可能である。
【００７６】
本実施例において、警報はＳＤＨのＦ１バイト、切替制御信号はＫ１／Ｋ２バイトを使用している。また、本実施例では、上述したように、親装置１がＫ１／Ｋ２バイトによって切替制御を行っている。しかしながら、警報及び切替制御信号に、他のオーバヘッドあるいは他の制御セル／パケットを使用することも可能である。この場合、各リモート装置２−１〜２−６が信号の状態を監視し、その監視結果に基づいて自立分散制御でローカルにスイッチを切り替えることも可能である。
【００７７】
次に、上記の自立分散制御を用いたアクセス回線を収容する通信システム、それに用いられる装置及び回線収容方法について、本発明の他の実施例として、以下に説明する。
【００７８】
自立分散制御としては、以下の方法がある。まず、上りと下りとを識別するための識別情報が主信号のオーバヘッドに挿入され、下流装置に転送される。下流装置は、受信した信号のオーバヘッドを見て、その信号が上り信号か下り信号かを判別する。これを具体的に説明すると、中心局の親装置１は、下り信号を左右両方向に送出する。これによって、下り信号が到達しなくなったリモート装置側で、下り信号の受信方向を切り替えることで、下り信号が受けることが可能となる。正常時では、末端装置（図２のリモート装置２−６）は、上り信号を右方向に送出している。そのため、各リモート装置２−１〜２−５は、左回り信号（下り信号）の識別情報から信号の周回方向を判断し、スイッチを設定する。
【００７９】
各リモート装置における故障検出時の動作を、以下に説明する。下り信号の故障を検出した装置は、スイッチを切り替えることで信号の受信・送出方向を反転し、また同時に、オーバヘッドの識別情報を書き替える。尚、故障とは、信号断または警報転送［ＡＩＳ（Ａｌａｒｍ  Ｉｎｄｉｃａｔｉｏｎ  Ｓｉｇｎａｌ）信号］等である。上り信号のみの故障（信号断）を検出した装置は、その送信元に対して警報転送（ＡＩＳ信号）を行うが、スイッチの切り替えは行わない。上り信号と下り信号との両方で故障を検出した装置は、上記の下り信号の故障検出時の動作を行う。
【００８０】
例えば、図４に示すように、リモート装置２−４に出入りする４本の信号が全断となった場合を想定する。リモート装置２−５は、下り信号の信号断を検出し、スイッチを切り替えることで上り信号と下り信号の向きを反転させる。リモート装置２−６では、リモート装置２−５から送信される識別情報にしたがって、スイッチを切り替えることで、上り信号と下り信号との向きを反転させる。一方、リモート装置２−３では、上り信号の信号断を検出し、リモート装置２−４に下り信号に変えてＡＩＳ信号を送信する。
【００８１】
よって、リモート装置２−１〜２−３は、正常時の方向で信号を送受し、一方、リモート装置２−５，２−６は、故障発生時の方向で信号を送受することとなる。このように、本実施例では、自立分散制御を行うことで、故障発生時に迅速な切り替えを行うことができる。これによって、本実施例では、中心局の親装置１からの制御信号の転送時間を短縮することができる。また、本実施例では、自立分散制御を行うことで、中心局の親装置１において、制御部の処理量を削減し、制御部の負荷を軽減することができる。
【００８２】
以上、本発明に好適なる実施の形態を述べたが、これらの構成を組合せて使用したり、一部の構成を変更してもよい。
【００８３】
このように、本発明のアクセス回線を収容する通信システム、その装置及びその方法は、以下に示す効果を有する。本発明は、アクセス回線を効率よく収容することができ、故障発生時の通知や信号救済が実現できるという効果が得られる。また、上記の自立分散制御としては、主信号のオーバヘッドに上りと下りとを識別するための識別情報を挿入して下流装置に転送し、下流装置が受信した信号のオーバヘッドを見て、その信号が上り信号か下り信号かを判別する方法がある。これを具体的に説明すると、中心局の親装置１は下り信号を左右両方向に送出し、末端装置（図２のリモート装置２−６）は上り信号を右方向に送出する。各リモート装置２−１〜２−５は左回り信号の識別情報から信号の周回方向を判断し、スイッチを設定する。
【図面の簡単な説明】
【００８４】
【図１】本発明の一実施例によるアクセス回線終端システムの部分的な構成を示すブロック図である。
【図２】本発明の一実施例によるアクセス回線終端システムの全体の構成例を示すブロック図である。
【図３】本発明の一実施例における通常時の上り信号と下り信号の流れを示す図である。
【図４】図３の管路１３４内の信号線に故障が発生した場合の上り信号と下り信号の流れを示す図である。
【図５】図１の親装置に搭載される第１の信号多重分岐部の構成例を示すブロック図である。
【図６】図２の親装置及びリモート装置に搭載される第２の信号多重分岐部の構成例を示すブロック図である。
【図７】本発明の一実施例における通常時の第２の信号多重分岐部の動作を示す図である。
【図８】本発明の一実施例における故障発生時の第２の信号多重分岐部の動作を示す図である。
【図９】従来のアクセス回線終端システムの全体の構成例を示すブロック図である。
【符号の説明】
【００８５】
１  中心局の親装置
２−１〜２−６  リモート装置
３  スイッチ／ルータ
６，１４，
２１−１，２１−６  第２の信号多重分岐部
１０  インタネット
１１  第１の信号多重分岐部
１２，２２−１，
２２−６  集線分離部
１３−１〜１３−ｎ，
２３−１，２３−６，
２４−１，２４−６  回線盤
４１，４８，５３，
６１，６８，７３  光電気変換部
４４，５０，５１，
６４，７０，７１  電気光変換部
４２，４５，４７，
４９，５２，５４，
６２，６５，６７，
６９，７２，７４  ＳＤＨ終端部
４３，６３  ＡＴＭセル多重部
４６，６６，
８２〜８４  信号分岐部
５５  クロック選択／パルス発生部
５６，７６  内部発振器
７５  クロック選択／パルス発生制御部
７７〜８１  選択部
８５〜８８  ＡＴＭセル抜き取り部
【図１】
2006087086.tif 000003
【図２】
2006087086.tif 000004
【図３】
2006087086.tif 000005
【図４】
2006087086.tif 000006
【図５】
2006087086.tif 000007
【図６】
2006087086.tif 000008
【図７】
2006087086.tif 000009
【図８】
2006087086.tif 000010
【図９】
2006087086.tif 000011